(57)【要約】 【課題】  プラグ筒(20)に接続されるソケット(3)を取り外すためのソケット取外し装置(10)であって、略Ｃ字状の装着軸(11a)とその両端から両側外方へ同一線状に延長される延長軸(11b)とからなる支持軸(11)と、延長軸(11b)を支点として揺動自在に設けられ且つ接続状態にあるソケット(3)の先端面を解除方向に押圧する押圧片(12a)が一方の揺動端に設けられている揺動レバー(12)とからなり、揺動レバー(12)の他方の揺動端には、揺動レバー(12)の揺動を操作する操作部(12b)が設けられているソケット取外し装置に関し、プラグ筒(20)のガス栓(2)からの突出長さに関わらず、ソケット(3)の取外しを確実に行うことができるようにする。【解決手段】  プラグ筒(20)はガス栓(2)に対して分離可能に接続されており、装着軸(11a)はプラグ筒(20)の胴部に外嵌装着されていること。【選択図】  図１  
2005127470.tif 000002
【特許請求の範囲】
【請求項１】
ガス栓のプラグ筒に接続されるソケットを取り外すためのソケット取外し装置であって、
略Ｃ字状の装着軸と前記装着軸の両端から両側外方へ同一線状に延長される延長軸とからなる支持軸と、
前記延長軸を支点として揺動自在に設けられ且つ接続状態にある前記ソケットの先端面を解除方向に押圧する押圧片が一方の揺動端に設けられている揺動レバーとからなり、
前記揺動レバーの他方の揺動端には、前記揺動レバーの前記揺動を操作する操作部が設けられているソケット取外し装置において、
前記プラグ筒は前記ガス栓に対して分離可能に接続されており、
前記装着軸は前記プラグ筒の胴部に外嵌装着されていることを特徴とするソケット取外し装置。
【請求項２】
請求項１に記載のソケット取外し装置において、前記装着軸は、前記プラグ筒の胴部に対して回動自在に取り付けられていることを特徴とするソケット取外し装置。
【請求項３】
壁又は床に形成された開口の裏側に埋め込まれたケーシング内に収容されており、
ソケットが接続されるプラグ筒を具備すると共に、
前記ソケットを取り外すためのソケット取外し装置が装着され、
前記壁又は床の表面には、化粧板が前記開口を閉塞するように添設固定され、
前記化粧板には、前記プラグ筒の先端に対応する位置に前記ソケットが挿通可能な窓部が設けられていると共に、前記窓部は蓋体によって開閉可能に設定されている埋設式ガス栓において、
前記プラグ筒はガス栓に対して分離可能に接続されており、
前記ソケット取外し装置は、
前記プラグ筒の基端部胴部に回動自在に外嵌装着させる略Ｃ字状の装着軸と前記装着軸の両端から外側方へ同一線状に延長される延長軸とからなる支持軸と、
前記延長軸を支点として揺動自在であり且つ一方の揺動端には接続状態にある前記ソケットの先端面を解除方向に押圧する押圧片が設けられていると共に、他方の揺動端には前記押圧片の揺動を操作する操作部が設けられている揺動レバーとからなり、
前記蓋体は、前記開口を閉塞する閉塞姿勢とこれから９０度回動させた開放直立姿勢との間で回動自在に軸支されており、前記開放直立姿勢で押し込み自在に支持された構成となっており、
前記操作部は、前記蓋体の前記開放直立姿勢における押し込み動作に連動するように設定されている埋設式ガス栓。
【発明の詳細な説明】
【技術分野】
【０００１】
本発明は、壁面や床面に埋設される形式のガス栓のプラグ筒に接続されるソケットを解除する為のソケット取外し装置及びこれを備えた埋設式ガス栓に関するものである。
【背景技術】
【０００２】
埋設式ガス栓として、例えば、図３に示すようなものが知られている。このものは、壁板(5)に形成された矩形開口(50)を介して壁内に埋め込み固定された矩形箱状のケーシング(1)と、このケーシング(1)内に収容されるガス栓(2)と、前記壁板(5)の表面に前記開口(50)を覆うように添設固定される化粧板(51)とから構成されている。
【０００３】
前記ガス栓(2)には、ソケット(3)を着脱自在に接続させる円筒形状のプラグ筒(20)が開口(50)に向かって突設されており、前記プラグ筒(20)の先端に対応する前記化粧板(5)の所定位置には、前記プラグ筒(20)に接続させるソケット(3)（図４参照）を挿通させるための円形窓部(52)が形成されている。そして、前記窓部(52)を閉塞する矩形状の蓋体(30)が開放自在に設けられている。
【０００４】
蓋体(30)について説明する。
前記蓋体(30)は、図５に示すように、両側方の所定位置に、それぞれ回動腕(31)が前記蓋体(30)の裏側へ向かって突出するように設けられており、その突出端部の裏側に設けた軸部(32)を中心に、前記化粧板(51)の裏面に連設させた筒部(53)に対して回動自在に取り付けられている。前記化粧板(51)の裏側に設けた係合片(54)と、回動腕(31)の表面に設けた係合軸(33)との間には、コイルバネ(4)が介在されており、前記コイルバネ(4)の弾性復帰力によって前記蓋体(30)は窓部(52)を閉塞する方向（矢印の方向）に付勢される。
【０００５】
閉塞姿勢にある前記蓋体(30)の一辺に沿った操作辺部(34)を筒部(53)内へ押し込むことにより、前記蓋体(30)は前記閉塞姿勢から９０度回動して、図３から図５の各図に示すような開放直立姿勢となる。その直立姿勢のまま、前記蓋体(30)を筒部(53)内へ押し込むと、蓋体(30)は、前記コイルバネ(4)を弾性変形させながら、前記軸部(32)を筒部(53)に設けたスリット部(55)に沿って、まっすぐ押し込むことができる。
又、前記蓋部(30)の操作辺部(34)近傍の内面には、図４に示すように、仕切り片(35)が形成されている。
【０００６】
次に、ソケット取外し装置(10)について説明する。
ソケット取外し装置(10)は、図３に示すように、略Ｃ字状の装着軸(11a)とその両端からそれぞれ外方へ一直線上に延長させた一対の延長軸(11b)とからなる金属線材製の支持軸(11)と、前記延長軸(11b)を支点部としてケーシング(1)の深さ方向に揺動自在に装着されている金属板製の揺動レバー(12)とから構成されている。
【０００７】
前記揺動レバー(12)の、前記支点部よりも一方端側には、ガス栓胴部(21)の両側（図面では上下）に位置するように一対の押圧片(12a)が設けられており、他方端側にはこれら押圧片(12a)の基端部を連結する連結片が設けられて、全体として略コ字状に形成されている。尚、前記連結片の外側端縁部分は、手前側へ屈曲されて、揺動レバー(12)の揺動を操作する操作部(12b)として機能させている。
【０００８】
前記プラグ筒(20)の基端部に連続し且つプラグ筒(20)より大径の前記ガス栓(2)の胴部(21)には、環状の溝部(22)が形成されており、前記溝部(22)に、前記支持軸(11)の装着軸(11a)が嵌め込まれると共に回り止め状態に固定される。
上記したようなソケット取外し装置(10)を具備させたガス栓(2)のプラグ筒(20)に、ソケット(3)を装着させるには、前記蓋体(30)の操作辺部(34)を押し込んで、前記蓋体(30)を直立開放姿勢とし、ソケット(3)を化粧板(51)の円形窓部(52)からケーシング(1)内に押し込み、プラグ筒(20)に外嵌接続させる。すると、ソケット(3)の先端にある進退筒(3a)が進出すると共に、前記ソケット(3)はプラグ筒(20)に対して抜止め状態に係合されたロックされた状態となる。
【０００９】
このとき、前記進退筒(3a)は、前記揺動レバー(12)の押圧片(12a)の揺動範囲内に位置し且つ、操作部(12b)は、前記蓋体(30)の前記仕切り片(35)に近接するようにそれぞれの寸法関係は設定されているものとする。
プラグ筒(20)に装着されたソケット(3)を取外すには、前記直立開放姿勢にある蓋部(30)を奥へ押し込む。すると、図４の二点鎖線に示すように、前記操作部(12b)が蓋体(30)の仕切り片(35)によって、奥へ押されることとなり、揺動レバー(12)が揺動する。これにより、操作部(12b)の反対側にある押圧片(12a)が、前記ソケット(3)の進退筒(3a)の先端面を解除方向に押圧し、ソケット(3)の前記ロック状態が解除される。
【００１０】
ソケット(3)をプラグ筒(20)から取外したあと、蓋体(30)を図５の矢印の方向に回動させれば、前記コイルバネ(4)の付勢力によって、蓋体(30)は閉塞方向に回動させられ、窓部(52)が閉塞されることとなる。
この従来の形式のソケット取外し装置(10)では、直立開放姿勢にある蓋体(30)を押し込むだけでソケット(3)の取り付け、取外しがワンタッチででき、使い勝手の良いものとなっている。
【特許文献１】特開平９−６８２８５号公報
【特許文献２】特開平９−２６４４４５号公報
【発明の開示】
【発明が解決しようとする課題】
【００１１】
しかしながら、この従来の埋設式ガス栓のソケット取外し装置(10)は、ガス栓胴部(21)に装着されているものであるから、プラグ筒(20)が前記胴部(21)に対して分離可能に螺合接続される形式のガス栓の場合、前記プラグ筒(20)の胴部(21)への螺合度合いによって、胴部(21)からのプラグ筒(20)の突出長さが変わってしまうことがある。ソケット(3)のプラグ筒(20)への装着深さは変わることはないから、プラグ筒(20)が数ピッチ分ずれて前記胴部(21)に螺合接続された場合、ソケット取外し装置(10)からソケット(3)の進退軸(3a)の先端までの距離が遠くなってしまい、揺動レバー(12)の押圧片(12a)によるソケット(3)の進退軸(3a)への押圧力が弱くなり、ソケット(3)の取外し操作の精度が悪くなるといった不都合がある。特に、前記進退軸(3a)の先端面が、揺動レバー(12)の押圧片(12a)の揺動範囲内に入らない程、螺合ピッチがずれてしまった場合、ソケット(3)の取外し操作ができないといった問題が生じてしまう。
【００１２】
本発明は、『ガス栓のプラグ筒に接続されるソケットを取り外すためのソケット取外し装置であって、
略Ｃ字状の装着軸と前記装着軸の両端から両側外方へ同一線状に延長される延長軸とからなる支持軸と、
前記延長軸を支点として揺動自在に設けられ且つ接続状態にある前記ソケットの先端面を解除方向に押圧する押圧片が一方の揺動端に設けられている揺動レバーとからなり、
前記揺動レバーの他方の揺動端には、前記揺動レバーの前記揺動を操作する操作部が設けられているソケット取外し装置』において、プラグ筒のガス栓からの突出長さに関わらず、ソケットの取外しを確実に行うことができるソケット取外し装置を提供することを課題とする。
【課題を解決するための手段】
【００１３】
（１）請求項１に係る発明のソケット取外し装置は、『前記プラグ筒は前記ガス栓に対して分離可能に接続されており、
前記装着軸は前記プラグ筒の胴部に外嵌装着されている』ことである。
上記手段によれば、揺動レバーの回動支点となる前記支持軸の延長軸もプラグ筒側に位置することとなるから、ガス栓胴部にプラグ筒を接続させ、前記プラグ筒にソケットを接続させた場合に、プラグ筒の前記ガス栓胴部への接続深さに関わらず、揺動レバーの装着位置からソケットの先端面までの距離は一定となる。よって、操作部を操作して、揺動レバーを揺動させると、前記揺動レバーの押圧片はソケットの先端面を常に一定の力で押すことができる。
【００１４】
(２) 請求項２に係る発明のソケット取外し装置は、『前記装着軸は、前記プラグ筒の胴部に対して回動自在に取り付けられている』ことを特徴とするもので、装着軸の回動に伴って、一対の延長軸もこれに軸支されている揺動レバーも同時に回動することとなる。よって、配管の方向、ガス栓の向き、及び、前記揺動レバーの操作部を操作する操作位置との関係に応じて、前記装着軸を回動させて、ガス栓に対する前記操作部の位置を所望の位置に設定することが出来る。
【００１５】
(３) 請求項３に係る発明は、『壁又は床に形成された開口の裏側に埋め込まれたケーシング内に収容されており、
ソケットが接続されるプラグ筒を具備すると共に、
前記ソケットを取り外すためのソケット取外し装置が装着され、
前記壁又は床の表面には、化粧板が前記開口を閉塞するように添設固定され、
前記化粧板には、前記プラグ筒の先端に対応する位置に前記ソケットが挿通可能な窓部が設けられていると共に、前記窓部は蓋体によって開閉可能に設定されている埋設式ガス栓』に関するものであり、上記課題と同様な課題を解決するために講じた技術的手段は、
『前記プラグ筒はガス栓に対して分離可能に接続されており、
前記ソケット取外し装置は、
前記プラグ筒の基端部胴部に回動自在に外嵌装着させる略Ｃ字状の装着軸と前記装着軸の両端から外側方へ同一線状に延長される延長軸とからなる支持軸と、
前記延長軸を支点として揺動自在であり且つ一方の揺動端には接続状態にある前記ソケットの先端面を解除方向に押圧する押圧片が設けられていると共に、他方の揺動端には前記押圧片の揺動を操作する操作部が設けられている揺動レバーとからなり、
前記蓋体は、前記開口を閉塞する閉塞姿勢とこれから９０度回動させた開放直立姿勢との間で回動自在に軸支されており、前記開放直立姿勢で押し込み自在に支持された構成となっており、
前記操作部は、前記蓋体の前記開放直立姿勢における押し込み動作に連動するように設定されている』ことである。
【００１６】
このものでは、壁面又は床面に埋設されたケーシング内に、上記したソケット取外し装置を具備させたプラグ筒を接続させてなるガス栓が収容された埋設式ガス栓を提供することができる。揺動レバーの操作部の位置を前記化粧板に設けられている蓋体の押し込み位置に対応させることにより、蓋体を開放直立姿勢に回動させ、そのまま奥へ押し込むことにより、前記操作部は蓋体の押し込み端で押されて、揺動レバーが揺動することとなる。これにより、上記した請求項１の作用と同様の作用が生じ、ソケットを取り外すことが出来る。又、壁又は床に設けた開口の形状によって化粧板の向きは変更することはできないが、前記装着軸をプラグ筒に対して回動可能に装着させているから、ガス栓の向きに関わらず、前記蓋体の押し込み位置に前記揺動レバーの操作部を対応させることができる。よって、上記請求項２の作用も生じる。
【発明の効果】
【００１７】
以上のように、請求項１に係る発明によれば、プラグ筒のガス栓への接続深さに関らず、常に揺動レバーの押圧片でソケットの先端面を確実に押圧することができるから、精度の高いソケット取外し装置を提供することが出来る。又、ガス栓胴部にソケット取外し装置を取り付けたものでは、取り付けるプラグ筒の長さは１種類のみが採用可能となるが、プラグ筒にソケット取外し装置を取り付けた本発明においては、ガス栓を取り付ける壁の厚さ、壁内寸法に応じてプラグ筒の長さが適切なものを選択することができるので、１つのガス栓に対して、長さの異なるプラグ筒を選択的に取り付けることが出来る。よって、適用範囲の広いガス栓を提供することが出来る。
【００１８】
請求項２に係る発明によれば、配管の位置、ガス栓の向き等に合わせて、揺動レバーの操作部の位置を変更することが可能となるから、ガス栓の向きや設置場所等の条件に関らず、使い勝手の良いソケット取外し装置となる。
【００１９】
請求項３に係る発明によれば、精度が高く且つ使い勝手の良いソケット取外し装置を具備させた埋設式ガス栓を提供することができる。又、プラグ部を分離可能としたから、ケーシング内におけるガス栓の収容深さに応じて、プラグ部のみを交換することができるので、ガス栓ごと交換する必要がない。よって、無駄がない上に交換作業が容易となる。
【発明を実施するための最良の形態】
【００２０】
以下に、本発明を実施するための最良の形態について添付図面を参照しながら説明する。
この実施の形態の埋設式ガス栓は、図１に示すように、ガス栓(2)とプラグ筒(20)とは別個に構成されていると共に、前記プラグ部(20)の基端部に設けられた雄ネジ部(23)によって、ガス栓(2)の接続胴部(21)に螺合接続可能な構成となっている。
【００２１】
前記雄ネジ部(23)の基端部側には、フランジ環(24)が張り出しており、前記フランジ環(24)の基端部の前方（プラグ筒(20)の先端部側）には、環状溝部(25)が形成されている。
前記プラグ部(20)が螺合接続されるガス栓(2)の、前記雄ネジ部(23)が螺合する雌ネジを有する胴部(21)の基端部側は大径のベース部(26)となっている。前記プラグ筒(20)及びベース部(26)内には、ソケット(3)の着脱により開閉される栓体が内蔵されている。
【００２２】
前記プラグ筒(20)に装着させるソケット取外し装置(10)は、従来の構成のものと同様なものが採用可能であり、前記環状溝部(25)に外嵌装着される略Ｃ字状の装着軸(11a)とその両端からそれぞれ外方へ一直線上に延長する一対の延長軸(11b)とからなる金属線材製の支持軸(11)と、一対の押圧片(12a)(12a)とこれら押圧片(12a)(12a)の一端を連結する連結片(12c)とから構成されていると共に、前記押圧片(12a)(12a)の基端部近傍にて前記延長軸(11b)(11b)に回動自在に装着されている金属板製の揺動レバー(12)とから構成されており、前記揺動レバー(12)の連結片(12c)の端縁には、前記揺動レバー(12)の揺動を操作する操作部(12b)が、前記前方に向かって傾斜する態様で設けられている。
【００２３】
尚、押圧片(12a)は、前記フランジ環(24)よりも前方に位置するように設定されている。これにより、前記揺動レバー(12)の揺動による押圧片(12a)の後方への揺動は、前記フランジ環(24)によって阻止されることとなり、前記押圧片(12a)は前記フランジ環(24)よりも前方においてのみ揺動可能となる。
【００２４】
前記揺動レバー(12)の両揺動支点部における、支持軸(11)の延長軸(11b)には、それぞれコイルバネ(40)(40)が設けられており、これらコイルバネ(40)(40)の一端は、それぞれ前記押圧片(12a)の表面に当たっており、他端相互は、略コ字状の連結線材(41)によって連結された構成となっている。前記連結線材(41)の後端辺は、前記ガス栓(2)のベース部(26)の基端面に当接するように配設されている。
【００２５】
これにより、前記揺動レバー(12)は、前記コイルバネ(40)の付勢力によって、前記押圧辺(12a)が前記フランジ環(24)に当接する態様に付勢される態様となり、前記操作部(12b)を後方へ押すことにより、前記揺動レバー(12)は、コイルバネ(40)の付勢力に抗して揺動し、前記押圧片(12a)が前方へ突出する態様に押し上げられることとなる。
【００２６】
上記ガス栓(2)は、従来例で示したものと同様、壁板(5)の裏側に埋設される埋設式のガス栓とし、図２に示すように、壁板(5)に設けた矩形開口(50)を介して壁内に埋め込まれたケーシング(1)と、前記開口(50)を閉塞する化粧板(51)とを具備する構成とする。尚、同図は、側方から配管(13)が配設されている場合を示しており、埋設式ガス栓の部分横断面図を示している。
【００２７】
ケーシング(1)は、前記壁板(5)の開口(50)内から壁の裏側へ収容可能な大きさの矩形箱体であり、前記ガス栓(2)の配管接続部(27)に対応する位置に開口(14)が形成されている。
このケーシング(1)内に、ソケット取外し装置(10)を装着させたプラグ筒(20)を螺合させてなるガス栓(2)を収容した後、壁板(5)の表面に、略長方形状の樹脂板からなる化粧板(51)を添設固定させる。
【００２８】
化粧板(51)の向きは、壁板(5)に設けた開口(50)の向きによって必然的に決まってしまい、通常、縦長に設置される。
前記化粧板(51)は、従来に示したものと同様の構成の蓋体(30)を具備させたものとし、蓋体(30)は化粧板(51)に対して横開きとなるように、一対の回動腕(31)（図５参照）は、化粧板(51)の裏側に連続する筒部(53)の上下に位置するように、前記筒部(53)所定位置に回動自在に軸支される。
【００２９】
蓋体(30)は、上記背景技術で開示した要領に従って、直立開放姿勢に回動可能に構成されており、前記化粧板(51)の添設姿勢は上記したとおりであるから、蓋体(30)の押込み位置は変更することはできない。しかしながら、ガス栓(2)の向きは、配管(13)の配設方向によって、図３に示すように、縦向きに配設される場合も、図２に示すように、横向きに配設される場合もある。本発明の実施の形態のガス栓(2)のプラグ筒(20)に具備させたソケット取外し装置(10)は、装着軸(11a)が環状溝部(25)内を回動自在となるように装着されているから、ガス栓(2)の向きに関わらず、装着軸(11a)を回動させれば、蓋体(30)の押込み端に対応する位置に、ソケット取外し装置(10)の操作部(12b)を確実に対応させることができる。
【００３０】
又、蓋体(30)の前記押込み端近傍の裏側には、２つの仕切り片(35a)(35b)が相互に平行に位置するように設けられており、ガス栓(2)の壁板(5)からの配設深さに応じて、前記操作部(12b)に、仕切り片(35a)(35b)のどちらか一方を対応させることができる。
【００３１】
ソケット(3)を装着させるには、蓋体(30)を前記直立開放姿勢に回動させ、ソケット(3)を、化粧板(51)に設けた窓部(52)から差し込み、プラグ筒(20)に外嵌させる。これにより、ソケット(3)はプラグ筒(20)に対して抜止め状態に係合されたロック状態に接続されることとなる。この接続状態において、ソケット(3)の先端にある進退筒(3a)が、コイルバネ(40)の付勢力によってプラグ部(20)のフランジ環(24)側に付勢されている揺動レバー(12)の押圧片(12a)の近傍に位置するように、環状溝部(25)の形成位置は設定されているものとする。
【００３２】
プラグ筒(20)に装着されたソケット(3)を取外すには、前記直立開放姿勢にある蓋体(30)をケーシング(1)内に向って押圧操作する。
すると、揺動レバー(12)の操作部(12b)が仕切り片(35a)(35b)のどちらか一方によって奥へ押されることとなり、これにより、揺動レバー(12)が揺動し、操作部(12b)と反対側にある押圧片(12a)がソケット(3)の先端の進退筒(3a)を解除方向に押圧する。これにより、ソケット(3)の前記ロック状態が解除されて、ソケット(3)がプラグ筒(20)から取り外される。
【００３３】
ソケット(3)が取り外された後は、揺動レバー(12)は、コイルバネ(40)の付勢力によって、押圧片(12a)がフランジ環(24)に当接状態に付勢された図１の初期姿勢に復帰する。
本発明の実施の形態のソケット取外し装置(10)は、ガス栓(2)とは分離可能に螺合接続するプラグ部(20)に装着させる構成としたから、プラグ部(20)のガス栓(2)への螺合度合いに関わらず、揺動レバー(12)の押圧片(12a)とソケット(3)の進退軸(3a)の先端面との距離は常時一定に保たれることとなる。よって、プラグ部(20)の螺合ピッチが多少ずれてもソケット取外し装置(10)の精度に影響を及ぼすことはなく、ソケット取外し装置(10)を確実に機能させることが出来る。
【図面の簡単な説明】
【００３４】
【図１】本願発明の実施の形態のソケット取外し装置を具備させたガス栓の斜視図。
【図２】本願発明の実施の形態の埋設式ガス栓の部分横断面図。
【図３】従来の埋設式ガス栓の分解斜視図。
【図４】従来の埋設式ガス栓の部分横断面図。
【図５】従来の埋設式ガス栓の化粧板の説明図。
【符号の説明】
【００３５】
(11)・・・・支持軸
(11a) ・・・装着軸
(11b) ・・・延長軸
(12)・・・・揺動レバー
(12a) ・・・押圧片
(12b) ・・・操作部 
(2) ・・・・ガス栓
(20)・・・・プラグ筒
(3) ・・・・ソケット
【図１】
2005127470.tif 000003
【図２】
2005127470.tif 000004
【図３】
2005127470.tif 000005
【図４】
2005127470.tif 000006
【図５】
2005127470.tif 000007